(57)【要約】【課題】  受信メールが暗号化されていなかったとき、送信元側に暗号化を促すことができるようにする。【解決手段】  送受信部３は外部から電子メールを受信するとともに当該送信元に対して所定の返信メールを返信する。暗号化判定部５は受信メールを解読して当該受信メールが暗号化されているか否かを判定する。受信データ処理部７は受信メールの暗号化の有無に対応した表示を付して印刷画像データを出力する。返信制御部１３は暗号化したメールの再送を促す内容を返信するよう送受信部３を送信制御する。【選択図】  図１
2008033697.tif 000002
【特許請求の範囲】
【請求項１】
外部から電子データを受信するとともに当該送信元に対して所定の返信データを返信可能に形成された送受信部と、
前記受信データを解読して当該受信データが暗号化されているか否かを判定する暗号化判定部と、
前記受信データが暗号化されていないと前記暗号化判定部が判定したとき、暗号化した前記データの再送を促す内容を含む前記返信データを返信するよう前記送受信部を送信制御する返信制御部と、
を具備することを特徴とするデータ送受信装置。
【請求項２】
前記返信制御部は、自己の公開鍵を添付して返信するよう前記送受信部を送信制御するものである請求項１記載のデータ送受信装置。
【請求項３】
前記返信制御部は、受信結果を記載して返信するよう前記送受信部を送信制御するものである請求項１又は２記載のデータ送受信装置。
【請求項４】
前記受信データの暗号化の有無に対応した表示を付して印刷画像データを出力する受信データ処理部を有する請求項１〜３いずれか１項記載のデータ送受信装置。
【請求項５】
前記受信データは、インターネットファクシミリのものである請求項１〜４いずれか１項記載のデータ送受信装置。
【発明の詳細な説明】
【技術分野】
【０００１】
本発明はデータ送受信装置に係り、例えばインターネット上でデータの送受信を扱うデータ送受信装置、特に暗号化したデータを扱うデータ送受信装置の改良に関する。
【背景技術】
【０００２】
近年、オープンな通信接続環境であるインターネットの急激な拡大とこの利用者の増大に伴い、インターネット上でやり取りするデータのセキュリティ、すなわち不正利用、なりすまし、盗聴、メール爆弾、スパム等の様々なトラブルへの対応策が重要になっている。
【０００３】
従来、このような不正に対するセキュリティの確保を図るために、例えば、特許文献１（特開２００３−３０３１８５号公報）のような構成が提案されている。
【０００４】
この特許文献１は、受信した文書が暗号化されていたものか判定し、受信文書とともにこれに対応付けて暗号情報も出力可能に構成し、受信文書がインターネット経由のものであるか否か、更には、暗号方式、電子署名の検証結果を受信者に知らせることを可能とし、受信者に安心を与えるようにしたものである。
【特許文献１】特開２００３−３０３１８５号公報
【発明の開示】
【発明が解決しようとする課題】
【０００５】
しかしながら、上述した特許文献１では、単に、受信文書が暗号化されているか否かの情報を受信者に通知するだけであり、送信側に暗号化通信を推進させるものではない。
【０００６】
他方、インターネット上で種々のデータを受け取る際のセキュリティを確保するためには、受信側で種々の対策を講じる以外に、送信元側から送信データを暗号化して送ってもらうことも極めて大切であり、受信側と送り手側の連携に関する工夫が求められている。
【０００７】
本発明はそのような課題を解決するためになされたもので、受信データが暗号化されていなかったとき、送信元側に暗号化を促すことの可能なデータ送受信装置の提供を目的とする。
【課題を解決するための手段】
【０００８】
そのような課題を解決するために本発明に係るデータ送受信装置は、外部から電子データを受信するとともに当該送信元に対して所定の返信データを返信可能に形成された送受信部と、その受信データを解読して当該受信データが暗号化されているか否かを判定する暗号化判定部と、その受信データが暗号化されていないと暗号化判定部が判定したとき、暗号化したデータの再送を促す内容を含むその返信データを返信するようその送受信部を送信制御する返信制御部とを具備している。
【０００９】
そして、本発明では、上記返信制御部が自己の公開鍵を添付して返信するよう送信制御する構成も可能である。
【００１０】
また、本発明では、上記返信制御部が受信結果を記載して返信するよう送信制御する構成も可能である。
【００１１】
さらに、本発明では、その受信データの暗号化の有無に対応した表示を付して印刷画像データを出力する受信データ処理部を有する構成も可能である。
【００１２】
さらにまた、本発明では、上記受信データがインターネットファクシミリのものである構成も可能である。
【発明の効果】
【００１３】
このような本発明に係るデータ送受信装置は、外部から電子データを受信するとともに当該送信元に対して所定の返信データを返信可能に送受信部を形成し、その受信データを解読して当該受信データが暗号化されているか否かを暗号化判定部で判定し、この暗号化判定部が受信データが暗号化されていないと判定したとき、暗号化したデータの再送を促す内容を含む返信データを返信するよう返信制御部にてその送受信部を送信制御するから、受信データが暗号化されていなかったとき、送信元側に暗号化を促し、インターネット上のセキュリティを向上させることが容易である。
【００１４】
そして、自己の公開鍵を添付して返信するよう上記返信制御部がその送受信部を送信制御する構成では、送信元側においてデータを暗号化して再送信し易い。
【００１５】
また、受信結果を記載して返信するよう上記返信制御部がその送受信部を送信制御する構成では、送信元に対して受信側の受信状態を示し、暗号化再送の実施を促せる利点がある
【００１６】
さらに、その受信データの暗号化の有無に対応した表示を付して印刷画像データを出力する受信データ処理部を有する構成では、受信側において、受信データの暗号化の有無を印刷等を介して確認可能である。
【００１７】
さらにまた、上記受信データがインターネットファクシミリのものである構成では、インターネット上のセキュリティを向上させた状態で文書データ等の通信が可能である。
【発明を実施するための最良の形態】
【００１８】
以下、本発明に係る実施の形態を図面を参照して説明する。
【００１９】
図１は本発明に係るデータ送受信装置を示すブロック図である。
【００２０】
図１において、バス１を介して送受信部３、暗号化判定部５、受信データ処理部７、表示部９、印刷部１１、返信制御部１３、ＣＰＵ１５およびＲＯＭ／ＲＡＭ１７が接続されており、主に、ＣＰＵ１５の制御の下、送受信部３、暗号化判定部５、受信データ処理部７、表示部９、印刷部１１および返信制御部１３が動作するようになっている。
【００２１】
送受信部３は、有線又は無線を介してネットワーク（インターネット）１９に接続され、図示しない外部のコンピュータとの間で、ＳＭＴＰ（Simple Mail Transfer Protocol）又はＨＴＴＰ(Hypter Text Transfer Protocol)等の形式で電子メール等のデータの送受信を行うインターフェース機能を有するものであり、受信メールを復号化して暗号化判定部５および受信データ処理部７に出力するとともに、返信制御部１３からの送信メールを符号化又は変調して送信元アドレスに向けてネットワーク１９に送信する機能を有している。
【００２２】
暗号化判定部５は、ＣＰＵ１５の制御の下、受信メールが暗号化されているか否かを判定する機能を有し、受信メールの暗号化有無を示す暗号化情報を受信データ処理部７、表示部９、印刷部１１、返信制御部１３に出力する機能を有している。
【００２３】
暗号化の有無を判定する機能は、従来公知の手法で実施するものであり、例えば、
Ｓ／ＭＩＭＥ(Ｓecure/Multipurpose Internet Mail Extentions)等の電子メールの暗号化と電子署名の技術が用いられるが、これらは標準化組織（ＩＥＴＦ）の発行文書ＲＦＣ２６３０〜ＲＦＣ２６３３に規定されている。
【００２４】
受信データ処理部７は、受信メールから印刷画像データを生成するものであり、生成した印刷画像データを印刷部１１および返信制御部１３に出力するとともにその一部を表示部９に出力する機能を有している。受信メールが暗号化されている場合には、例えばＲＯＭ／ＲＡＭ１７からの秘密鍵によって解読される。
【００２５】
受信データ処理部７は、暗号化情報に基づき受信メールが暗号化されているか否かを示す表示、例えば図２に示すように、表示Ａ「暗号化あり」や「暗号化なし」とか、所定の暗号マークを印刷画像データ中に付加する機能も有している。
【００２６】
表示部９は、本発明のデータ送受信装置を搭載した電子機器の本体ケースに配置された例えば液晶形のタッチ式操作表示パネル（図示せず。）であり、「暗号化あり／なし」その他が表示されるものである。
【００２７】
印刷部１１は、例えば操作表示パネルからの印刷指示に基づき、印刷画像データを印刷する従来公知の印刷エンジンであり、印刷指示がなくとも、自動的に印刷画像データを印刷するよう形成可能である。
【００２８】
返信制御部１３は、暗号化判定部５からの暗号化情報が受信メールの非暗号化を判定したものであれば、当該受信メールについて、暗号化して再度送信するよう促す内容、例えば「暗号化して再度送信してください。」といった返信メールを作成するとともに、自己の公開鍵をＲＯＭ／ＲＡＭ１７から読み込んで添付し、それを返信するよう送受信部３を送信制御する機能を有している。
【００２９】
返信制御部１３は、例えば共通鍵その他によって返信メールを暗号化することも可能である。
【００３０】
公開鍵は、いわゆる公開鍵方式の暗号化技術におけるもので受信側の秘密鍵に対応し、予めＲＯＭ／ＲＡＭ１７に格納されており、ＣＰＵ１５の制御の下、返信制御部１３によって返信メールに別の添付ファイルとして添付されたり、返信メール中に表示して添付される。別ファイルとして添付するか、返信メール中に表示して添付するかは、例えば操作表示パネルから指示設定される。
【００３１】
返信制御部１３は、受信メールの内容を表示して返信メールを返信するよう送受信部３を送信制御する機能も有している。
【００３２】
ＣＰＵ１５は、送受信部３によるデータ送受信機能、暗号化判定部５による受信メールの暗号化有無判定機能、受信データ処理部７による受信メールからの印刷画像データ生成機能、表示部９による表示機能、印刷部１１による印刷画像データの印刷機能、返信制御部１３による受信メールの暗号化再送を促す返信メール作成機能を各々制御する機能を有している。
【００３３】
ＲＯＭ／ＲＡＭ１７は、ＣＰＵ１５の動作プログラムを格納し、ＣＰＵ１５による動作中のデータを一時的に格納する機能の他、上述した自己の公開鍵および秘密鍵のペア鍵を格納しており、ＣＰＵ１５の制御の下、読み書き制御される。
【００３４】
次に、本発明に係るデータ送受信装置の動作を図３のフローチャートを参照して簡単に説明する。
【００３５】
ステップＳ１においてネットワーク１９から送受信部３がメールを受信すると、ステップＳ２にて暗号化判定部５にて受信メールが暗号化されているか否かを判定され、受信メールが暗号化されていてステップＳ２がＹＥＳであれば終了する。
【００３６】
一方、受信メールが暗号化されていないためステップＳ２がＮＯであれば、ステップＳ３にて、暗号化情報に基づき、返信制御部１３が暗号化したメールを再送するよう促す内容（メッセージ）の返信メールを作成し、自己の公開鍵をＲＯＭ／ＲＡＭ１７から読み込んで添付するとともに、一度受信した内容を記載して送受信部３に返信メールを送り、ステップＳ４にて送受信部３からネットワーク１９を介して送信元へ送り、終了する。
【００３７】
その後、もし、外部から印刷指示がなされれば、受信データ処理部７にて受信メールから印刷画像データが生成され、表示部９において受信メールについて暗号化の有無を付した表示がなされ、印刷部１１にて印刷画像データが図２のように印刷される。
【００３８】
このように、本発明に係るデータ送受信装置は、外部から電子データを受信するとともに当該送信元に対して所定の返信メールを返信可能に形成された送受信部３と、その受信メールを解読して当該受信メールが暗号化されているか否かを判定する暗号化判定部５と、暗号化したメールの再送を促す内容を返信するよう送受信部３を送信制御する返信制御部１３と、受信メールの暗号化の有無に対応した表示Ａを付して印刷画像データを出力する受信データ処理部７を具備している。
【００３９】
そのため、受信メールが暗号化されていなかったとき、自己の公開鍵を添付して送信元側にメールを自動的に返信することが可能で、送信元側からメールを暗号化して再度送信することを促せるうえ、送信元側においてメールを暗号化して再送し易く、受信側および送信元側の自動連携を図ることが可能で、インターネット上のセキュリティを高めることが容易である。
【００４０】
しかも、受信メールの暗号化の有無に対応した表示Ａを付して印刷可能であるから、受信側においても、受信メールの暗号化の有無を確認し易いし、受信結果を記載した内容も返信するから、送信元側に受信状態を示して、暗号化再送の必要性を強く促せる利点がある。もっとも、受信データ処理部７は必須ではない。
【００４１】
ところで、本発明のデータ送受信装置における返信制御部１３は、暗号化情報に基づき、少なくとも受信メールについて暗号化してメールを再送するよう促す内容の返信メールを作成して送受信部３を送信制御する機能を有していれば、本発明の目的達成が可能であり、必ずしも公開鍵を添付したり、受信メールの内容を添付する必要はない。
【００４２】
また、上述した本発明に係るデータ送受信装置の実施の形態では、メールの送受信を例にして説明したが、本発明では電子メールに限らず、ネットワークでやり取りする文書データや印刷ジョブその他広く電子データに適用可能である。
【００４３】
特に、インターネットファクシミリにおいては、受信メールを暗号化又は電子署名して行えば、ユーザにとって文書データを安全にインターネット上で配信可能であるから、本発明のデータ送受信装置によってインターネット上のセキュリティを向上させた状態で文書データ等の通信が可能で、有用でもある。
【００４４】
なお、本発明に係る排気装置は、複写機、ファクシミリ、プリンター等の画像形成装置に限らず、種々の機器に搭載して好適する。
【図面の簡単な説明】
【００４５】
【図１】本発明に係るデータ送受信装置の実施の一形態を示すブロック図である。
【図２】図１のデータ送受信装置における動作を説明する図である。
【図３】図１のデータ送受信装置の動作を説明するフローチャートである。
【符号の説明】
【００４６】
１  バス
３  送受信部
５  暗号化判定部
７  受信データ処理部
９  表示部
１１  印刷部
１３  返信制御部
１５  ＣＰＵ
１７  ＲＯＭ／ＲＡＭ
１９  ネットワーク（インターネット）
【図１】
2008033697.tif 000003
【図２】
2008033697.tif 000004
【図３】
2008033697.tif 000005